(57)【要約】【課題】照明装置の棚板への取付け手間や取付け時間を省き、且つ、棚板下方の商品陳列スペースを広範囲に照らすことができる商品陳列棚における照明装置を提供すること。【解決手段】商品陳列棚の棚板６の下面前部に設けられ、棚板６の下方の商品陳列スペースＳに照明を行うようにした商品陳列棚における照明装置１４であって、ＬＥＤ２５を棚板６の幅方向に複数配設した照明装置１４の幅方向端部を、棚板６に設けたブラケット２２に幅方向の軸体３３を介して装着し、照明装置１４を軸体３３周りに回動可能に設けた。【選択図】図３
2008206758.tif 000002
【特許請求の範囲】
【請求項１】
商品陳列棚の棚板の下面前部に設けられ、該棚板の下方の商品陳列スペースに照明を行うようにした商品陳列棚における照明装置であって、
ＬＥＤを前記棚板の幅方向に複数配設した照明装置の幅方向端部を、前記棚板に設けたブラケットに幅方向の軸体を介して装着し、前記照明装置を該軸体周りに回動可能に設けたことを特徴とする商品陳列棚における照明装置。
【請求項２】
前記軸体に挿通孔が穿設されており、該挿通孔に前記ＬＥＤに電力を供給する電源ケーブルを挿通したことを特徴とする請求項１に記載の商品陳列棚における照明装置。
【請求項３】
前記ブラケットに、前記挿通孔を外方から被覆するように形成された保護カバーが取付けられていることを特徴とする請求項２に記載の商品陳列棚における照明装置。
【発明の詳細な説明】
【技術分野】
【０００１】
本発明は、商品陳列棚の棚板の下面前部に設けられ、この棚板の下方の商品陳列スペースにＬＥＤによる照明を行うようにした商品陳列棚における照明装置に関する。
【背景技術】
【０００２】
従来の商品陳列棚における照明装置として、商品陳列棚の棚板の下面前部に設けられ、この棚板の下方の商品陳列スペースに照明を行うように、棚板の下側に蛍光灯を取付けたものがある（例えば、特許文献１参照）。
【０００３】
また、オフィス用の棚への使用を主目的とした照明装置として、ＬＥＤ（発光ダイオード）を使用した照明装置を棚板の下面に設け、この棚板の下方を照明するようにしているものもある（例えば、特許文献２参照）。
【０００４】
【特許文献１】特開２００１−１６９８７４号公報（第３頁、第１図）
【特許文献２】特開２００７−２６７２３号公報（第４頁、第２図）
【発明の開示】
【発明が解決しようとする課題】
【０００５】
しかしながら、特許文献１にあっては、蛍光灯を反射カバーに複数のクリップにより支持し、反射カバー側に取付けた支持具を、棚板側に取付けた支持具に対し回動軸により軸着したものであり、反射カバーの両側端部に蛍光灯両側端部の電極が差し込まれるコネクタが取付けられたものであるため、部品点数が多くなり、照明装置の棚板への取付けに時間がかかるという問題があった。
【０００６】
また、特許文献２にあっては、ＬＥＤを使用した照明装置は、この照明装置の直下を中心に照明する装置であるため、このような照明装置は商品陳列棚において商品陳列スペース全体を照らす広範囲の照明手段としては適さないという問題があった。
【０００７】
本発明は、このような問題点に着目してなされたもので、照明装置の棚板への取付け手間や取付け時間を省き、且つ、棚板下方の商品陳列スペースを広範囲に照らすことができる商品陳列棚における照明装置を提供することを目的とする。
【課題を解決するための手段】
【０００８】
上記課題を解決するために、本発明の請求項１に記載の商品陳列棚における照明装置は、
商品陳列棚の棚板の下面前部に設けられ、該棚板の下方の商品陳列スペースに照明を行うようにした商品陳列棚における照明装置であって、
ＬＥＤを前記棚板の幅方向に複数配設した照明装置の幅方向端部を、前記棚板に設けたブラケットに幅方向の軸体を介して装着し、前記照明装置を該軸体周りに回動可能に設けたことを特徴としている。
この特徴によれば、照明装置を棚板に設けたブラケットに軸体を介して装着することで、照明装置を取付ける部品点数を少なくして、照明装置の棚板への取付け手間や取付け時間を省き、且つ、照明装置を軸体周りに回動可能に設けることで、棚板下方の商品陳列スペースを広範囲に照らすことができる。
【０００９】
本発明の請求項２に記載の商品陳列棚における照明装置は、請求項１に記載の商品陳列棚における照明装置であって、
前記軸体に挿通孔が穿設されており、該挿通孔に前記ＬＥＤに電力を供給する電源ケーブルを挿通したことを特徴としている。
この特徴によれば、ブラケットに対して照明装置を回動させた場合でも、ほとんど位置が変わることのない軸体の挿通孔に挿通した電源ケーブルが捻れることがないため、電源ケーブルの破損や漏電を防止できる。
【００１０】
本発明の請求項３に記載の商品陳列棚における照明装置は、請求項２に記載の商品陳列棚における照明装置であって、
前記ブラケットに、前記挿通孔を外方から被覆するように形成された保護カバーが取付けられていることを特徴としている。
この特徴によれば、軸体の挿通孔に挿通した電源ケーブルを、挿通孔を被覆するように形成された保護カバーにより保護することができる。
【発明を実施するための最良の形態】
【００１１】
本発明の実施例を以下に説明する。
【実施例】
【００１２】
本発明の実施例を図面に基づいて説明すると、先ず図１は、本発明の実施例における冷凍冷蔵ショーケースの全体像を示す側断面図である。図２は、冷凍冷蔵ショーケースにおける照明装置を示す下面図である。図３（ａ）、（ｂ）は、照明装置の回動した状態を示す側断面図である。
【００１３】
図１に示されるように、商品陳列棚としての冷凍冷蔵ショーケース１は、主に商店やスーパーマーケットやコンビニエンスストア等の食品等を取り扱う販売店舗に設置され、商品を低温に保ったまま保冷、または冷凍した状態で陳列するために設置されるオープンショーケースであり、正面側を開口した内箱３により囲まれた冷蔵室５には、商品を陳列する棚板６が上下方向に複数設置され、下部に設けられた底板３ｂにも商品（図示省略）を陳列可能になっており、商品を多数載置可能な構成となっている。以下、本実施例の説明において、図１の冷凍冷蔵ショーケース１を対面した状態で見て、手前正面側を右方とし、奥行き側を左方とし、内箱３の開口側（左側）を前方とし、閉塞側（右側）を後方として説明する。
【００１４】
冷凍冷蔵ショーケース１は、前面（図の左方）が開放された略コ字形をなす断熱構造の外箱２と、その内方の、同じく前面が開放された略コ字形の内箱３とからなるケース本体を備え、その内部空間は冷蔵室５となっている。内箱３の背面板３ａには、上下複数段の棚板６の後端が取付けられ、この各棚板６と内箱３の底板３ｂとの上面に、商品（図示略）が陳列されるようになっている。
【００１５】
外箱２と内箱３との間には、通風路７が形成され、この通風路７の垂直部と底部には、それぞれ冷却装置８と送風機９が設置されている。ケース本体の上部の前端には、通風路７と連通する冷気吹出口１０が下向きに形成され、またケース本体の前端下部の上端において外箱２と内箱３との間には、上方に開口する冷気の吸込口１１が形成されている。
【００１６】
送風機９を作動させると、冷却装置８により冷却された冷気は、矢印のように、通風路７内を上方に向かって流れ、冷気吹出口１０より、下方の吸込口１１に向かって吹き出される。これにより、ケース本体の前面の開放面に冷気のエアカーテン１２が形成されるとともに、その冷気の一部が冷蔵室５内に流入することにより、陳列商品が保冷されるようになる。
【００１７】
次に、冷凍冷蔵ショーケース１における照明装置について説明すると、各棚板６の下面前部に夫々設けられ、各棚板６下方の棚板６上面に載置する商品陳列スペースＳを照明する棚用の照明装置１４と、キャノピー１３の下面に設けられ、照明装置１４よりも強い光を照射するキャノピー用の照明装置１５と、照明装置１４の上方に設けられたインナー用の照明装置１６とが、冷凍冷蔵ショーケース１の適所に取付けられている。
【００１８】
図２及び図３（ａ）、（ｂ）に示されるように、棚用の照明装置１４について詳しく説明すると、先ず各棚板６は、図示しない商品を上面に載置するように平板状に形成された平板部６ａと、平板部６ａの前側に連続して下方に向けて略直角に屈曲し、更に連続して後方に向けて略直角に屈曲した屈曲部６ｂと、から成り、下方が開口する側断面視略下向きコ字形状に形成されている。また、各棚板６を支持する棚板支持部材１７及び補強板１８と、棚板６の前面で商品の価格等を表示する表示板１９と、が棚板６の周辺に構成されている。
【００１９】
より具体的には、棚板支持部材１７は、棚板６の下面左右両端部において棚板６を支持するように、背面板３ａに固定に取付けられて前後方向に延びている。補強板１８は、側面視上方に向けて開口する略Ｖ字状に屈曲し、棚板６下面前側において取付けられ、商品を載置して荷重の掛かった棚板６を支持可能に設けられている。更に、表示板１９は、後部に形成された嵌合部１９ａが棚板６の屈曲部６ｂに嵌合して取付けられ、例えば棚板６に載置する商品の商品名や価格等の情報を表示できるようになっている。
【００２０】
次に、棚用の照明装置１４は、側面視下方に開口する略コ字形状の照明ケースとしてのアルミケース２３と、アルミケース２３内部に収容された基板２４、ＬＥＤ２５、反射板２７と、アルミケース２３内部を被覆するように取付けられたグレア２６と、から主として構成されており、各棚板６の下面前部に左右幅方向に沿って設けられている。
【００２１】
より具体的には、照明装置１４を構成するアルミケース２３の内部に装着された基板２４に、左右幅方向に所定間隔おきにＬＥＤ２５が点在して設けられている。また、ＬＥＤ２５の近傍、すなわち基板２４の前面に左右幅方向に取付けられた反射板２７は、固定ねじ２１で基板２４に取付けられるとともに、前後辺がアルミケース２３の内壁に形成された係合溝２３ａに係合され、下方に向けて内曲面に形成されている。更に、グレア２６は、透光性を有する平板形状であって、アルミケース２３の開口端に形成された凹溝２３ｂに嵌合しており、アルミケース２３内部に収容したＬＥＤ２５等を保護している。また、アルミケース２３の外面には、複数の突起部からなるフィンを備えたラジエータ２３ｃが設けられており、ＬＥＤ２５の照光によりアルミケース２３に発生する熱を放熱できるようになっている。尚、照明ケースとして、必ずしもアルミケースを採用する必要はなく、他の材質の金属若しくは樹脂等からなるケースであってもよい。
【００２２】
上述のように照明装置１４は、アルミケース２３及びアルミケース２３に収容したＬＥＤ２５等の構成部材からなっており、照明装置１４の上下方向寸法Ｂとは、すなわちアルミケース２３の上下方向寸法のことであり、この上下方向寸法Ｂは、棚板６の上下方向寸法Ａよりも短寸に形成されている。
【００２３】
次に、照明装置１４の棚板６への取付けについて説明する。
【００２４】
照明装置１４は、棚板６下面前部、すなわち補強板１８の前側において、後述のように棚板６に対し所定に傾斜した状態で取付けられている。
【００２５】
より具体的には、ＬＥＤ２５等を収容したアルミケース２３の左右両端を塞ぐ塞ぎ材３２が、固定ねじ３０により取付けられ、また、補強板１８に固定ねじ２０により固着されたブラケット２２が、塞ぎ材３２に近接して沿うように前方に向かって延設されるとともに、上部に形成された当接部２２ｂが棚板６の平板部６ａ下面に当接している。そして、塞ぎ材３２に形成された挿通孔３２ａと、この挿通孔３２ａと略同径にブラケット２２に形成された挿通孔２２ａとに、円筒状の軸体３３を棚板６の左右幅方向に挿通する。
【００２６】
すなわち、照明装置１４は、補強板１８を介して棚板６に設けたブラケット２２に、棚板６の幅方向に整列したＬＥＤ２５の中心線と一致した仮想の回動軸Ｄ上にある軸体３３を介して装着され、ＬＥＤ２５の照光方向が後下方を向くように傾斜して、且つ、この軸体３３周りに回動可能に設けられている。詳しくは、照明装置１４は、図３（ａ）に示されるように、アルミケース２３の外面が、補強板１８の取付部１８ａに当接してＬＥＤ２５からの照光方向がもっとも後方側を向く状態と、図３（ｂ）に示されるように、アルミケース２３の外面が、表示板１９の嵌合部１９ａに当接してＬＥＤ２５からの照光方向がもっとも前方側を向く状態との間を回動可能に設けられている。
【００２７】
このようにすることで、照明装置１４を取付ける部品点数を少なくして、照明装置１４の棚板６への取付け手間や取付け時間を省き、且つ、照明装置１４を軸体３３周りに回動可能に設けることで、棚板６下方の商品陳列スペースＳを広範囲に照らすことができる。
【００２８】
このように、照明装置１４を軸体３３の中心を通る仮想の回動軸Ｄ周りに適宜回動させることで、照明装置１４の照明範囲の自由度を高めることができる。
【００２９】
本実施例では、上述のように棚板６の上下方向寸法Ａよりも小なる上下方向寸法Ｂを有した照明装置１４を、ＬＥＤ２５の照光方向が後下方を向くように傾斜させて設けている。このようにすることで、ＬＥＤ２５を配設した照明装置１４が、棚板６の下面より突出する突出部分を小さく抑えることができるため、棚板６下方の商品陳列スペースＳへの商品の出し入れの邪魔になることがなく、且つ、下方の商品陳列スペースＳ全体を広範囲に照らすことができる。
【００３０】
また、軸体３３には、両端が内部で連通する挿通孔３３ａが穿設されており、各ＬＥＤ２５に接続され電力を供給する電源ケーブル３４が、この挿通孔３３ａに挿通されている。このようにすることで、ブラケット２２に対して照明装置１４を回動させた場合でも、ほとんど位置が変わることのない軸体３３の挿通孔３３ａに挿通した電源ケーブル３４が捻れることがないため、電源ケーブル３４の破損や漏電を防止できる。
【００３１】
更に、ブラケット２２に、軸体３３の挿通孔３３ａを外方から被覆するように形成された保護カバー３１が取付けられており、このようにすることで、軸体３３の挿通孔３３ａに挿通した電源ケーブル３４を、挿通孔３３ａを被覆するように形成された保護カバー３１により保護することができる。
【００３２】
尚、軸体３３は、必ずしも照明装置１４の幅方向の両端部に設けられている必要はなく、照明装置は、幅方向の一端側のみに設けられた一つの軸体周りに回動可能に設けられたものであってもよい。
【００３３】
次に、照明装置１４による照明について説明する。
【００３４】
図３（ａ）、（ｂ）に示されるように、アルミケース２３に収容されたＬＥＤ２５からは、直進性の大きい光が照射されており、ＬＥＤ２５から照射される光は、側面視で光の仮想の中心軸Ｃにおいて最も強く、この中心軸Ｃから所定の光の広がり角度θ１、θ２で広がるにつれて弱くなる傾向を有する。
【００３５】
上述のように照明装置１４を傾斜することにより、ＬＥＤ２５からの光の中心軸Ｃを後下方に向け、且つ、ＬＥＤ２５を取付けたアルミケース２３の側面視形状を僅かに左右非対称形状にすることにより、中心軸Ｃからの光の広がり角度を、中心軸から前方側の光の広がり角度θ１よりも、中心軸から後方側の光の広がり角度θ２を小さく形成している。具体的には、中心軸から前方側の光の広がり角度θ１を略４５度とし、中心軸から後方側の光の広がり角度θ２を、４５度よりも小さい略３８度としている。
【００３６】
このようにすることで、棚板６の下面前部に設けた照明装置１４から比較的距離の近い棚板６下方の商品陳列スペースＳの手前側へは、照明装置１４から比較的小さい光束の光が照射され、照明装置１４から比較的距離の遠い棚板６下方の商品陳列スペースＳの奥側へは、照明装置１４から比較的大きい光束の光が照射されるため、照明装置１４が棚板６下方の商品陳列スペースＳの全体を均一に、且つ、広範囲に照らすことができる。
【００３７】
また、照明ケースとしてのアルミケース２３の形状を利用して、光の広がり角度θ１、θ２を容易に設定することができる。
【００３８】
尚、中心軸Ｃからの光の広がり角度θ１、θ２は、中心軸Ｃから前方側の光の広がり角度θ１よりも、中心軸Ｃから後方側の光の広がり角度θ２を小さく形成されていれば、必ずしも中心軸Ｃから前方側の光の広がり角度θ１を略４５度とし、中心軸から後方側の光の広がり角度θ２を略３８度とする必要はなく、何度であってもよい。
【００３９】
更に、ＬＥＤ２５の近傍に光を反射する反射板２７を設けており、ＬＥＤ２５から直進する光の一部は、反射板２７により反射されて棚板６下方の商品陳列スペースＳに向かって照射される。このように、反射板２７を設けるだけの簡単な構成で、直進性の大きなＬＥＤ２５からの光を所要範囲に亘って拡散させることができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、上記実施例では、商品陳列棚として冷凍冷蔵ショーケース１に照明装置を適用した例で説明したが、照明装置は、一般の商品陳列棚にも適用可能である。
【００４２】
また、上記実施例では、ＬＥＤ２５の光の中心軸Ｃからの光の広がり角度を、照明ケースとしてのアルミケース２３により設定しているが、光の広がり角度を照明ケースにより設定していなくともよい。
【００４３】
また、上記実施例では、ＬＥＤ２５の近傍に光を反射する反射板２７が設けられているが、反射板は特段に設けられていなくても構わない。また、照明装置を回動可能とする軸体は、必ずしも整列したＬＥＤの中心軸線と一致した回動軸Ｄ上に無くても構わない。
【００４４】
更に、上記実施例では、軸体３３に挿通孔３３ａが穿設されており、この挿通孔３３ａに電源ケーブル３４が挿通されているが、例えば、塞ぎ材３２、ブラケット２２に特段に設けた孔部に電源ケーブルを挿通させてもよい。更に、保護カバー３１は、特段に設けられていなくても構わない。
【００４５】
また、上記実施例では、棚板６の上下方向寸法Ａよりも照明装置１４の上下方向寸法Ｂを短寸に設けていたが、棚板の上下方向寸法と照明装置の上下方向寸法との大小関係は、必ずしも本実施例に限られず、略同寸法であってもよいし、棚板の上下方向寸法よりも照明装置の上下方向寸法を長寸に設けてもよい。
【００４６】
また、上記実施例では、ＬＥＤ２５の光の中心軸Ｃからの光の広がり角度を、中心軸Ｃから前方側の光の広がり角度θ１よりも、中心軸Ｃから後方側の光の広がり角度θ２を小さく形成しているが、例えば、前方側の光の広がり角度と後方側の光の広がり角度とが略同じ角度であってもよい。
【図面の簡単な説明】
【００４７】
【図１】本発明の実施例における冷凍冷蔵ショーケースの全体像を示す側断面図である。
【図２】冷凍冷蔵ショーケースにおける照明装置を示す下面図である。
【図３】（ａ）、（ｂ）は、照明装置の回動した状態を示す側断面図である。
【符号の説明】
【００４８】
１                冷凍冷蔵ショーケース（商品陳列棚）
２                外箱
３                内箱
５                冷蔵室
６                棚板
７                通風路
８                冷却装置
９                送風機
１０              冷気吹出口
１１              吸込口
１２              エアカーテン
１３              キャノピー
１４              照明装置
１５、１６        照明装置
１７              棚板支持部材
１８              補強板
１９              表示板
２０、２１        固定ねじ
２２              ブラケット
２３              アルミケース（照明ケース）
２４              基板
２５              ＬＥＤ
２６              グレア
２７              反射板
３０              固定ねじ
３１              保護カバー
３２              塞ぎ材
３３              軸体
３４              電源ケーブル
【図１】
2008206758.tif 000003
【図２】
2008206758.tif 000004
【図３】
2008206758.tif 000005